(57)【特許請求の範囲】
【請求項１】
無線電話機能を備えると共に、受信信号の伝送誤りを検知する誤り検知手段と、受信信号を音声に復号した復号音声信号を入力してその復号音声の質を調整する受話イコライザとを備えた無線電話装置において、
前記誤り検知手段により検知された伝送誤りの情報に基づいて前記受話イコライザの動作を制御するイコライザ制御手段を備え、
前記イコライザ制御手段は、前記受話イコライザの動作を制御するときには、前記受話イコライザの周波数特性を段階的に平坦にしていくように構成されていることを特徴とする無線電話装置。
【請求項２】
伝送信号をフレーム単位で伝送する方式の無線電話機能を備え、
前記誤り検知手段は、受信したフレーム毎に伝送誤りがあるか否かを検知し、その検知情報を前記イコライザ制御手段へ与えるように構成され、
前記イコライザ制御手段は、伝送誤りがあるフレームの連続数が第１の設定値（１以上の整数）以上となったときに、前記受話イコライザの周波数特性を調整するように構成されていることを特徴とする請求項１に記載の無線電話装置。
【請求項３】
伝送信号をフレーム単位で伝送する方式の無線電話機能を備え、
前記誤り検知手段は、受信したフレーム毎に伝送誤りがあるか否かを検知し、その検知情報を前記イコライザ制御手段へ与えるように構成され、
前記イコライザ制御手段は、設定時間内に受信した伝送誤りがあるフレームの個数が第２の設定値（１以上の整数）以上となったときに、前記受話イコライザの周波数特性を調整するように構成されていることを特徴とする請求項１に記載の無線電話装置。
【請求項４】
伝送信号をフレーム単位で伝送する方式の無線電話機能を備え、
前記誤り検知手段は、受信したフレーム毎に伝送誤りがあるか否かを検知し、その検知情報を前記イコライザ制御手段へ与えるように構成され、
前記イコライザ制御手段は、複数のフレームを受信したときに伝送誤りがあるフレームの受信パターンが所定のパターンとなったときに、前記受話イコライザの周波数特性を調整するように構成されていることを特徴とする請求項１に記載の無線電話装置。
【発明の詳細な説明】
【０００１】
【発明の属する技術分野】
本発明は、例えば携帯電話機に好適するものであって、復号音声の音質を調整する受話イコライザを備えた無線電話装置に関する。
【０００２】
【従来の技術】
例えばＰＤＣ方式の携帯電話機の受信回路側の電気的構成（機能ブロック図）の一例として、図８に示すような構成がある。この図８においては、アンテナ１に電波信号を受信すると、受信信号は、無線受信部２を通過し、復調部３において復調され、伝送路復号化部４において伝送路復号化され、更に、音声復号化部５にて音声に復号される。そして、この復号音声信号は、受話イコライザ６へ与えられ、ここで、復号音声の音質が調整される。上記受話イコライザ６は、制御回路（図示しない）から与えられた調整指令に基づいて復号音声信号の振幅の周波数特性や位相の周波数特性を調整することにより、音声の質を改善する機能を有している。そして、このような音質改善により、ユーザーは、良好な受信音声を聞くことができる。
【０００３】
また、上記受話イコライザ６で音質調整処理された音声信号は、Ｄ／Ａ変換部７にてＤ／Ａ変換され、このＤ／Ａ変換された音声信号は、フィルタアンプ８にて増幅されてから、スピーカ９に与えられる。そして、スピーカ９から、受信した音声が出力（発声）されるように構成されている。
【０００４】
上記構成の場合、伝送路復号化部４は、伝送路で誤りが発生していることを検知する機能、即ち、受信信号に伝送誤りがあるか否かを検知する機能、及び、誤り訂正機能を有している。例えばＰＤＣ方式の携帯電話機の場合、伝送信号をフレーム単位で伝送しており、上記伝送誤りの検知も、受信信号のフレーム毎に実行している。そして、音声復号化部５は、伝送誤りがあったフレーム（即ち、受信データ）について、音声の補正を行うように構成されている。具体的には、伝送誤りがあったフレームを必要に応じてマスキングする（即ち、その音を消す）処理を実行している。これにより、伝送誤りがあったフレームを復調した音声、例えば異常な音声の出力を防止し、異音の発生を防止している。
【０００５】
【発明が解決しようとする課題】
しかし、上記従来構成の場合、スピーカ９から異音が発生することがあった。この異音の発声原因としては、復調音声信号を受話イコライザ６に通した結果、聴感上問題となるような音声信号が生成されていることがあると考えられた。また、上記音声復号化部５においてマスキング処理が実行されている場合、復号化された音声信号は低レベル信号となることが多く、このような音声信号に対して、受話イコライザ６が有効に動作しないということも考えられた。
【０００６】
そこで、本発明の目的は、伝送誤りが発生したときに、受話イコライザの動作による異音の発生を防止すると共に、受話イコライザを有効に動作させ、また、消費電力を低減することができる無線電話装置を提供することにある。
【０００７】
【課題を解決するための手段】
請求項１の発明によれば、誤り検知手段により検知された伝送誤りの情報に基づいて受話イコライザの動作を制御するイコライザ制御手段を備え、前記イコライザ制御手段は、前記受話イコライザの動作を制御するときには、前記受話イコライザの周波数特性を段階的に平坦にしていくように構成されているので、受話イコライザの動作による異音の発生を防止することができる。そして、受話イコライザを動作させない方が好ましいときには、動作させないようにできるから、消費電力を低減することが可能である。
【０００８】
請求項２の発明においては、イコライザ制御手段は、伝送誤りがあるフレームの連続数が第１の設定値（１以上の整数）以上となったときに、前記受話イコライザの周波数特性を調整するように構成されている。この構成によれば、伝送誤りが発生したときに、受話イコライザの周波数特性を調整する具体的な構成を、簡単な構成にて容易に実現することができる。
【０００９】
請求項３の発明によれば、イコライザ制御手段によって、設定時間内に受信した伝送誤りがあるフレームの個数が第２の設定値以上となったときに、受話イコライザの周波数特性を調整する構成としたので、伝送誤りが発生したときに、受話イコライザの周波数特性を調整する具体的な構成を、簡単な構成にて容易に実現することができる。
【００１０】
請求項４の発明によれば、イコライザ制御手段によって、複数のフレームを受信したときに伝送誤りがあるフレームの受信パターンが所定のパターンとなったときに、受話イコライザの周波数特性を調整するように構成したので、伝送誤りが発生したときに、受話イコライザのノイズキャンセル機能の周波数特性を調整する具体的な構成を、簡単な構成にて容易に実現することができる。
【００１３】
【発明の実施の形態】
以下、本発明をＰＤＣ方式の携帯電話機に適用した第１の実施例について、図１ないし図３を参照しながら説明する。尚、従来構成（図８参照）と同一部分には、同一符号を付している。まず、図２は、本実施例の携帯電話機１１の電気的構成を示す機能ブロック図である。この図２に示すように、携帯電話機１１は、マイクロコンピュータなどからなる制御回路１２を中心として構成されており、この制御回路１２には、複数の操作キーからなるキー操作部１３から操作信号が与えられるように構成されている。そして、制御回路１２は、ＬＣＤ等からなるディスプレイ１４における表示を制御するように構成されている。
【００１４】
そして、音声がマイク１５に入力されると、このマイク１５から音声信号が出力される。この音声信号は、音声処理部１６に与えられてＡ／Ｄ変換及び音声符号化され、更に、データ変換部１７に与えられるように構成されている。このデータ変換部１７においては、例えばπ／４シフトＤＱＰＳＫ（Differential Quadrature Phase Shift Keying）信号に変換されるように構成されている。そして、上記ＤＱＰＳＫ信号に変換（デジタル変調）された送信データは、送受信部１８に与えられ、ここで、例えば８００ＭＨｚ帯の搬送波信号によって直交変調され、アンテナ１から電波信号として外部へ送信されるように構成されている。
【００１５】
一方、アンテナ１に電波信号を受信すると、この受信信号は、送受信部１８及びデータ変換部１７において復調及び伝送路復号化されてから、音声処理部１６に与えられる。そして、音声処理部１６において音声復号化及びＤ／Ａ変換されて音声信号として出力され、この音声信号がスピーカ９に与えられ、該スピーカ９から音声として出力されるように構成されている。
【００１６】
そして、上記制御回路１２は、音声処理部１６、データ変換部１７及び送受信部１８の各制御を実行するように構成されている。更に、制御回路１２は、ＲＡＭやＥＥＰＲＯＭ等から構成された記憶部１９に対して、データの書き込み及びデータの読み出しを実行するように構成されている。上記記憶部１９には、種々のデータ（例えば複数の相手先の電話番号及び名前のデータや各種のメッセージのデータや各種のメロディのデータなど）を記憶させることが可能な構成となっている。
【００１７】
また、図１は、上記携帯電話機１１の電気的構成のうちの受信回路側（受信機側）の具体的構成を示すブロック図である。この図１においては、従来構成（図８参照）と同一部分には同一符号を付している。即ち、携帯電話機１１の受信回路側の構成は、アンテナ１と、無線受信部２と、復調部３と、伝送路復号化部  （誤り検知手段）４と、音声復号化部５と、状態制御回路（イコライザ制御手段）２１と、受話イコライザ６と、Ｄ／Ａ変換部７と、フィルタアンプ８と、スピーカ９とから構成されている。
【００１８】
ここで、図１に示す携帯電話機１１の受信回路側の各回路と、図２に示す携帯電話機１１全体の各回路との関係は、次の通りである。即ち、無線受信部２は、送受信部１８の内部に組み込まれている。復調部３及び伝送路復号化部４は、データ変換部１７の内部に組み込まれている。音声復号化部５、状態制御回路２１、受話イコライザ６、Ｄ／Ａ変換部７及びフィルタアンプ８は、音声処理部１６の内部に組み込まれている。
【００１９】
尚、上記受話イコライザ６は、制御回路１２から与えられた調整指令に基づいて復号音声信号の振幅の周波数特性や位相の周波数特性を調整する機能を有している。具体的には、受話イコライザ６は、復号音声信号のうちのある特定の周波数帯域（例えば０〜４０００Ｈｚ）だけを選択して音の強さ（振幅）を強くしたり、逆に音の強さ（振幅）を弱くしたり、振幅の所定の帯域の周波数特性の起伏を変化させたり、即ち、特性の傾きを大きくしたり小さく（平坦）したりするように構成されている。これにより、受話イコライザ６は、復号音声の音質を改善し、ユーザーにとって聞き易い音声とするように構成されている。
【００２０】
さて、本実施例（図１参照）と従来構成（図８参照）とが相違する点は、本実施例の携帯電話機１１の受信回路側に状態制御回路２１が設けられている点である。この状態制御回路２１は、誤り検知手段である伝送路復号化部４において検知された伝送誤りの情報を入力し、この伝送誤りの情報に基づいて受話イコライザ６の動作を制御する機能を有している。
【００２１】
この構成の場合、携帯電話機１１がＰＤＣ方式であるから、伝送信号（受信信号及び送信信号）をフレーム単位で伝送している。そして、上記伝送路復号化部４は、受信信号のフレーム毎に伝送誤りがあるか否かの検知を実行していると共に、フレーム毎に、そのフレームが伝送誤りがあるフレームであるか否かを特定する信号を作成し、この信号を上記伝送誤りの情報として状態制御回路２１へ与えるように構成されている。
【００２２】
次に、上記状態制御回路２１の制御動作について、図３を参照しながら説明する。この図３のフローチャートは、状態制御回路２１の制御動作の内容を示している。本実施例では、状態制御回路２１は、伝送誤りが存在するフレームの連続数が第１の設定値（１以上の整数）以上となったときに、受話イコライザ６の周波数特性を調整するように構成されている。
【００２３】
具体的には、まず、図３のステップＳ１０において、状態制御回路２１は、伝送路復号化部４から受けた誤り情報に基づいて、現在受信処理しているフレームに伝送誤りがあるか否かを判断する。ここで、上記フレームに伝送誤りがある場合は、ステップＳ１０にて「ＹＥＳ」へ進み、連続誤りフレーム数をカウントするための変数ＣＥＮをカウントアップ（＋１）する（ステップＳ２０）。尚、変数ＣＥＮは、例えば電源オン時の初期化処理においてゼロクリアされている。
【００２４】
続いて、ステップＳ３０へ進み、上記連続誤りフレーム数ＣＥＮが予め決められた第１の設定値ＴＮ以上であるか否かを判断する。この第１の設定値ＴＮは、１以上の整数であり、実験により、異常な音（聴感上好ましくない音）が極力発生しなくなるような動作となる適切な値（例えば「３」や「１」などの数値）に設定されている。
【００２５】
そして、上記ステップＳ３０において、連続誤りフレーム数ＣＥＮが第１の設定値ＴＮ以上であるときには、「ＹＥＳ」へ進み、受話イコライザ６の動作（周波数特性）を調整する（ステップＳ４０）。この場合、受話イコライザ６の周波数特性を例えば平坦な特性とする（または、受話イコライザ６をオフする）。これにより、受話イコライザ６が、現在受信処理しているフレームに対して動作しないようにしている。従って、この場合、現在受信処理しているフレームについての受話イコライザ６の処理（動作）がパスされるようになる。
【００２６】
一方、上記ステップＳ３０において、連続誤りフレーム数ＣＥＮが第１の設定値ＴＮ以上でないときには、「ＮＯ」へ進み、受話イコライザ６の処理機能を現在のままとし、現在受信処理しているフレームに対して現在の機能（現在の状態）のままで、音質改善処理を実行させるようにしている。
【００２７】
また、ステップＳ１０において、フレームに伝送誤りがない場合は、「ＮＯ」へ進み、連続誤りフレーム数ＣＥＮをゼロクリアする（ステップＳ５０）。そして、この場合は、受話イコライザ６の処理機能（イコライザ機能）を現在のままとし、現在受信処理しているフレームに対して現在の機能（現在の状態）のままで、音質改善処理を実行させるようにしている。
【００２８】
以下、状態制御回路２１（及び受話イコライザ６）は、次に続くフレーム（即ち、次に受信処理するフレーム）についても、上述した制御と同様な制御を繰り返し実行するように構成されている。
【００２９】
このような構成の本実施例によれば、伝送路復号化部４により検知された伝送誤りの情報に基づいて受話イコライザ６の動作を制御する状態制御回路２１を備えたので、伝送誤りが発生したときに、受話イコライザ６の動作による異音の発生を防止することができる。
【００３０】
そして、本実施例の場合、受話イコライザ６を動作させない方が好ましいとき、例えば、連続誤りフレーム数ＣＥＮが第１の設定値ＴＮ以上であるときには、受話イコライザ６の周波数特性を平坦な特性として（またはオフして）、その音質改善処理機能を動作させないように構成した。これにより、消費電力を低減することが可能である。
【００３１】
図４は本発明の第２の実施例を示すものであり、第１の実施例と異なるところを説明する。尚、第１の実施例と同一構成及び同一ステップには、同一符号及び同一ステップ番号を付している。上記第２の実施例では、状態制御回路２１は、予め決められた設定時間内に受信した伝送誤りがあるフレームの個数が第２の設定値以上となったときに、受話イコライザ６の動作（周波数特性）を調整するように構成している。
【００３２】
具体的には、まず、図４のステップＳ１１０において、状態制御回路２１は、伝送路復号化部４から受けた伝送誤り情報に基づいて、現在を基準にして、その前のＮＣ個のフレームについて、その中に存在する伝送誤りがあるフレームの個数ＣＥＮＣを算出する。続いて、ステップ１２０へ進み、上記算出した伝送誤りがあるフレームの個数ＣＥＮＣが、予め決められた第２の設定値ＴＮＣ以上であるか否かを判断する。
【００３３】
尚、本実施例の携帯電話機１１の構成の場合、伝送信号のフレームは、数十ｍｓ（例えば２０ｍｓや４０ｍｓなどの長さの時間）という時間に対応していることから、現在を基準にしてその前のＮＣ個のフレームが、予め決められた設定時間に対応している。また、上記第２の設定値ＴＮＣは、１以上の整数であり、実験により、異常音が極力発生しなくなるような動作となる適切な値に予め決められている。
【００３４】
そして、上記ステップ１２０において、ＣＥＮＣが第２の設定値ＴＮＣ以上である場合は、ステップＳ１２０にて「ＹＥＳ」へ進み、受話イコライザ６の効きを調整する（ステップＳ４０）。この場合、受話イコライザ６の周波数特性を例えば平坦な特性とする（または、受話イコライザ６の動作をオフする）。これにより、受話イコライザ６の音質改善処理機能が、現在受信処理しているフレームに対して動作しないようにしている。
【００３５】
一方、上記ステップＳ１２０において、ＣＥＮＣが第２の設定値ＴＮＣ以上でないときには、「ＮＯ」へ進み、受話イコライザ６の処理機能を現在のままとし、現在受信処理しているフレームに対して現在の機能（現在の状態）のままで、音質改善処理を実行させるようにしている。
【００３６】
また、上述した以外の第２の実施例の構成は、第１の実施例の構成と同じ構成となっている。従って、第２の実施例においても、第１の実施例とほぼ同じ作用効果を得ることができる。
【００３７】
図５は本発明の第３の実施例を示すものであり、第１の実施例と異なるところを説明する。尚、第１の実施例と同一構成及び同一ステップには、同一符号及び同一ステップ番号を付している。上記第３の実施例では、状態制御回路２１は、複数のフレームを受信したときに、伝送誤りがあるフレームの受信パターンが所定のパターンとなったときに、受話イコライザ６の動作（周波数特性）を調整するように構成されている。
【００３８】
具体的には、まず、図５のステップＳ２１０において、状態制御回路２１は、記憶部１９に予め記憶されているＮＰ個のフレームからなる所定の誤りパターンを読出す。ここで、上記所定の誤りパターンについて、簡単に説明する。この場合、４個のフレームから誤りパターンが構成されていると共に、正常なフレームを「０」で示し、伝送誤りがあるフレームを「１」で示すとする。そして、４個のフレームが全て正常なパターンを（「０」、「０」、「０」、「０」）で示すと定義する。このように定義した場合、例えば、（「０」、「１」、「０」、  「１」）や（「１」、「０」、「０」、「１」）などが、予め決められた所定の誤りパターンとなる。
【００３９】
そして、上記所定の誤りパターンは、実験等を実行することにより決めている。即ち、実験等により、異常音が極力発生しなくなるような運転動作となる適切な誤りパターンを求め、この求めたパターンを上記所定の誤りパターンとして設定している。本実施例の場合、上記求めた所定の誤りパターンを図１の状態制御回路２１の中に記憶（登録）させている。尚、上記所定の誤りパターンは、１つに限られるものではなく、２つ以上記憶させても良い。また、所定の誤りパターンを構成するフレームの個数は、上記４個に限られるものではなく、５個以上であっても良いし、３個以下であっても良く、適宜設定すれば良い。
【００４０】
次に、ステップＳ２２０へ進むと、状態制御回路２１は、伝送路復号化部４から受けた誤り情報に基づいて、現在を基準にして、その前のＮＰ個のフレームからなる誤りパターン（即ち、検知した誤りパターンまたは受信した誤りパターン）と、上記読出した所定の誤りパターンとが一致するか否かを判断する。ここで、両者が一致する場合は、ステップＳ２２０にて「ＹＥＳ」へ進み、受話イコライザ６の動作（周波数特性）を調整する（ステップＳ４０）。この場合、受話イコライザ６の周波数特性を例えば平坦な特性とする（または、受話イコライザ６の動作をオフする）。これにより、受話イコライザ６の音質改善処理機能が、現在受信処理しているフレームに対して動作しないようにしている。
【００４１】
一方、上記ステップＳ２２０において、検知（受信）した誤りパターンと、読出した所定の誤りパターンとが一致しないときには、「ＮＯ」へ進み、受話イコライザ６の処理機能は現在のままとし、現在受信処理しているフレームに対して現在の機能（状態）のままで音質改善処理を実行させるようにしている。
【００４２】
尚、上述した以外の第３の実施例の構成は、第１の実施例の構成と同じ構成となっている。従って、第３の実施例においても、第１の実施例とほぼ同じ作用効果を得ることができる。
【００４３】
また、上記第１ないし第３の実施例では、受話イコライザ６の周波数特性を調整するに際して、受話イコライザ６の周波数特性を例えば平坦な特性とする、または、受話イコライザ６をオフするように構成したが、これに限られるものではなく、例えば、受話イコライザ６の周波数特性を決められたある１つの段階  （状態）まで平坦にするように調整する構成としても良い。また、受話イコライザ６の周波数特性を段階的に平坦にするように調整する構成としても良く、このように段階的に平坦にするように制御した実施例を図６に示す。
【００４４】
この図６は、本発明の第４の実施例を示すものであり、第１の実施例と異なるところを説明する。尚、第１の実施例と同一構成及び同一ステップには、同一符号及び同一ステップ番号を付している。上記第４の実施例においては、状態制御回路２１は、受話イコライザ６の動作を制御するとき、そのイコライザ機能（音質改善処理機能）の周波数特性を段階的に平坦にする（緩める）ように制御している。
【００４５】
具体的には、まず、図６のステップＳ１０において、状態制御回路２１は、伝送路復号化部４から受けた誤り情報に基づいて、現在受信処理しているフレームに伝送誤りがあるか否かを判断する。ここで、フレームに伝送誤りがある場合は、ステップＳ１０にて「ＹＥＳ」へ進み、連続誤りフレーム数をカウントするための変数ＣＥＮをカウントアップ（＋１）する（ステップＳ２０）。
【００４６】
続いて、ステップＳ３３０へ進み、上記連続誤りフレーム数ＣＥＮが第３の設定値ＴＮ０以上且つ第４の設定ＴＮ１未満であるか否かを判断する。ここで、第３の設定値ＴＮ０及び第４の設定ＴＮ１は、予め決められた１以上の整数であり、ＴＮ０＜ＴＮ１の関係がある。
【００４７】
そして、上記ステップＳ３３０において、連続誤りフレーム数ＣＥＮが第３の設定値ＴＮ０以上且つ第４の設定ＴＮ１未満であるときには、「ＹＥＳ」へ進み、受話イコライザ６のイコライザ機能の周波数特性を１段階平坦にするように調整する（ステップＳ３４０）。この場合、受話イコライザ６のイコライザ特性を例えば±６ｄＢ以内となるように平坦化する。これにより、現在受信処理しているフレームに対して、上記平坦にした段階の機能（状態）で、音質改善処理を実行させるようにしている。
【００４８】
一方、上記ステップＳ３３０において、連続誤りフレーム数ＣＥＮが第３の設定値ＴＮ０以上且つ第４の設定ＴＮ１未満でないときには、「ＮＯ」へ進み、連続誤りフレーム数ＣＥＮが第４の設定値ＴＮ１以上且つ第５の設定ＴＮ２未満であるか否かを判断する（ステップＳ３５０）。ここで、第５の設定ＴＮ２は、１以上の整数であり、ＴＮ１＜ＴＮ２の関係が成り立つ。
【００４９】
そして、上記ステップ３５０において、連続誤りフレーム数ＣＥＮが第４の設定値ＴＮ１以上且つ第５の設定ＴＮ２未満であれば、「ＹＥＳ」へ進み、受話イコライザ６のイコライザ機能の周波数特性を２段階平坦にするように調整する（ステップＳ３６０）。この場合、受話イコライザ６のイコライザ特性を例えば±３ｄＢ以内となるように平坦化する。これにより、現在受信処理しているフレームに対して、上記平坦にした下の段階の機能（状態）で、音質改善処理を実行させるようにしている。
【００５０】
また、上記ステップＳ３５０において、連続誤りフレーム数ＣＥＮが第４の設定値ＴＮ１以上且つ第５の設定ＴＮ２未満でないときには、「ＮＯ」へ進み、連続誤りフレーム数ＣＥＮが第５の設定ＴＮ２以上であるか否かを判断する（ステップＳ３７０）。ここで、連続誤りフレーム数ＣＥＮが第５の設定ＴＮ２以上であれば、「ＹＥＳ」へ進み、受話イコライザ６のイコライザ機能の周波数特性を更に平坦にして例えば完全に平坦な特性とする（即ち、イコライザ特性を例えば±０ｄＢとなるように平坦化する）、または、受話イコライザ６の動作をオフする（ステップＳ４０）。これにより、受話イコライザ６の機能が、現在受信処理しているフレームに対して動作しないようになる。
【００５１】
一方、上記ステップＳ３７０において、連続誤りフレーム数ＣＥＮが第５の設定ＴＮ２以上でないときは（即ち、連続誤りフレーム数ＣＥＮが第３の設定ＴＮ０未満であるときは）、「ＮＯ」へ進み、受話イコライザ６のイコライザ機能の周波数特性を現在のまま維持する（ステップＳ３８０）。これにより、現在受信処理しているフレームに対して現在の機能（状態）のままで音質改善処理を実行させるように構成している。尚、このステップＳ３８０の処理ステップにおいては、実際には何も実行しないので、この処理ステップは、特に図示する必要はなく、前記第１ないし第３の実施例では図示していない。
【００５２】
また、上述した以外の第４の実施例の構成は、第１の実施例の構成と同じ構成となっている。従って、第４の実施例においても、第１の実施例とほぼ同じ作用効果を得ることができる。
【００５３】
また、前記第２及び第３の実施例においても、第４の実施例とほぼ同様にして、受話イコライザ６の機能の周波数特性を調整するときに、その周波数特性を段階的に平坦にするように調整する構成としても良い。更に、上記各実施例では、受話イコライザ６の動作を制御するときに、その周波数特性を緩める方向に調整するように構成したが、これに限られるものではなく、必要に応じて周波数特性を強める（非平坦化）方向に調整するように構成しても良い。
【００５４】
図７は、本発明の第５の実施例を示すものであり、第１の実施例と異なるところを説明する。尚、第１の実施例と同一構成及び同一ステップには、同一符号及び同一ステップ番号を付している。上記第５の実施例では、音声復号化部５と受話イコライザ６との間に、受話ノイズキャンセラ２２を設けるように構成した。この受話ノイズキャンセラ２２は、例えばＰＤＣ方式のＳＴＤ−２７規格に示されたノイズキャンセル機能を備えるように構成されており、復号音声信号の中からノイズ成分を除去する機能を有している。
【００５５】
そして、上述した以外の第５の実施例の構成は、第１の実施例の構成と同じ構成となっている。従って、第５の実施例においても、第１の実施例とほぼ同じ作用効果を得ることができる。特に、第５の実施例の場合、受話ノイズキャンセラ２２を設けたので、受信した音声（即ち、復号音声）の質がより一層良好なものとなる。
【００５６】
また、上記第５の実施例において、受話ノイズキャンセラ６のノイズ除去動作（即ち、ノイズキャンセル機能の効き）を、状態制御回路２１によって、伝送路復号化部４において検知された伝送誤りの情報に基づいて制御するように構成しても良い。この構成の場合、具体的には、前記第１ないし第４の実施例とほぼ同様にして、前記伝送誤りの情報に基づいて受話ノイズキャンセラ６の効きを弱めたり、リセット（オフ）したり、段階的に弱めたりするように制御する構成が好ましい。
【００５７】
尚、上記各実施例では、状態制御回路２１を音声処理部１６の内部に設けるように構成（即ち、状態制御回路２１の機能を音声処理部１６の内部機能として実現するように構成）したが、これに代えて、状態制御回路２１を制御回路１２の内部に設けるように構成（即ち、状態制御回路２１の機能を制御回路１２の内部機能として実現するように構成）しても良い。
【００５８】
また、上記各実施例においては、本発明を携帯電話機１１に適用したが、これに限られるものではなく、ＰＨＳの端末機に適用するように構成しても良いし、また、他の方式の無線電話装置に適用するように構成しても良い。
【図面の簡単な説明】
【図１】本発明の第１の実施例を示す携帯電話機の受信回路側のブロック図
【図２】携帯電話機全体を概略的に示すブロック図
【図３】フローチャート
【図４】本発明の第２の実施例を示す図３相当図
【図５】本発明の第３の実施例を示す図３相当図
【図６】本発明の第４の実施例を示す図３相当図
【図７】本発明の第５の実施例を示す図１相当図
【図８】従来構成を示す図１相当図
【符号の説明】
１はアンテナ、２は無線受信部、３は復調部、４は伝送路復号化部（誤り検知／訂正手段）、５は音声復号化部、６は受話イコライザ、７はＤ／Ａ変換部、８はフィルタアンプ、９はスピーカ、１１は携帯電話機（無線電話装置）、１２は制御回路、１３はキー操作部、１４はディスプレイ、１５はマイク、１６は音声処理部、１７はデータ変換部、１８は送受信部、１９は記憶部、２１は状態制御回路（イコライザ制御手段）、２２は受話ノイズキャンセラを示す。
【図１】
0004281196.tif 000002
【図２】
0004281196.tif 000003
【図３】
0004281196.tif 000004
【図４】
0004281196.tif 000005
【図５】
0004281196.tif 000006
【図６】
0004281196.tif 000007
【図７】
0004281196.tif 000008
【図８】
0004281196.tif 000009